(57)【要約】【課題】不透明なブックカバーを、必要な時に一部を透明化できるブックカバー【解決手段】  ブックカバー等に使用できる、包装材（１）の一部に横断的にミシン目（２）を設け、その部分を透過性素材又は、半透過性素材である、包装材（２）で覆って、包装材（１）の切離し部分以外の場所で接着し、ミシン目（２）を切り取って包装材（２）を露わにすることができるブックカバーを本に装着し使用する。【特許請求の範囲】
【請求項１】
略長方形状の不透過性素材からなる第１の包装材（１）の長手方向又は短手方向のいずれかに、一対のミシン目（２）を横断的に設け、前記、１対設けたミシン目（２）を覆うように透過性素材または半透過性素材からなる第２の包装材（３）を第１の包装材（１）と実施時に残す側に接着もしくは溶着したことを特徴とする、切り取り窓付きブックカバー。
【請求項２】
略長方形状の不透過性素材からなる第１の包装材（１）の長手方向又は短手方向のいずれかに、一本のミシン目（２）を設け、前記、一本のミシン目（２）を覆うように透過性素材または半透過性素材からなる第２の包装材（３）を第１の包装材（１）と実施時に残す側に接着もしくは溶着したことを特徴とする、切り取り窓付きブックカバー。
【発明の詳細な説明】
【技術分野】
【０００１】  この発明は、ブックカバーの一部にミシン目をもうけ、透過性素材でその部分を覆い、作製されたものを本に装着する事により、それの利用者自身が都合のいい時に本のタイトル等を露わに出来るブックカバーに関するものである。
【背景技術】
【０００２】  既存の、不透明なブックカバーは、装着した本を本棚にしまうときには、本のタイトルが分からないので、たいてい捨てられてしまう。もし本をきれいに保ちたいなら、不便だが、そのまま並べるか、ブックカバー自体にタイトルを記入するか、透明のブックカバーを購入して装着しなおすしかなかった。
従来、ブックカバーの背表紙部分の一部を透明にし、見やすくしたブックカバーがあった（特許文献１参照）
また、ブックカバーの背表紙の一部と、表紙の一部に透明の窓があるブッカバーがあった（特許文献２参照）
【先行技術文献】
【特許文献】
【０００３】
【特許文献１】実開平０６−０８６９５５号公報
【特許文献２】実開昭６１−２００２６６号公報
【発明の概要】
【発明が解決しようとする課題】
【０００４】  従来、一般的には透明なブックカバーと不透明なブックカバーの２種類しかなく、その内、不透明なブックカバーというものは、本を綺麗に保つ効果と、外出時での読書で他人に本のタイトルを見られたくない人が、装着するものである。
その為次のような問題点があった。
〔問題点１〕不透明のブックカバーは外出時に他人にタイトルを知られたくない人には有用だが、家庭で使用したり、本棚に並べる時には、タイトルが分からないという理由では、邪魔となる。
〔問題点２〕透明のブックカバーは、家庭で使用したり、本棚に並べる時には有用だが、外出時に、他人にタイトルを知られたくない人には使えない。
〔問題点３〕ミシン目の部分が、ブックカバーの端にないので、切り取りにくい（特許文献１参照）
〔問題点４〕透過部分が、複数に分かれているのでタイトル等の見える範囲が狭く限定される。（特許文献２参照）
本発明は、これらの問題点を解決するためになされたものである。
【課題を解決するための手段】
【０００５】  発明は、ブックカバー等に使用できる、包装材（１）の一部に、ミシン目（２）をもうけ、透過性素材又は、半透過性素材である包装材（２）でその部分を覆い、接着し作製されたものを本に装着する事により、それの利用者自身が都合のいい時に本の一部を露わにでき、本のタイトル等を表示する事が出来るブックカバーである。
【発明の効果】
【０００６】〔問題点１〕〔問題点２〕については、本発明は、ブックカバーの本のタイトル部分を含めて全体が不透明であり必要な時に部分的に透明になるブックカバーであるため、透明、不透明の両方の利点を併せ持つ事ができる。〔解決１〕〔解決２〕
〔問題点３〕本発明は、ブックカバーの端にミシン目の一端を設けているので、切り取りやすい。〔解決３〕
〔問題点４〕本発明は、透過部分がすべて繋がっているので、タイトル等の見える範囲も広く作製も容易である。〔解決４〕
【図面の簡単な説明】
【０００７】
【図１】本発明の一例目の表面図である。
【図２】本発明の一例目の裏面図である。
【図３】本発明の一例目の長手方向の断面図である。
【図４】本発明の二例目の表面図である。
【図５】本発明の二例目の裏面図である。
【図６】本発明の二例目の短手方向の断面図である。
【図７】本発明の三例目の表面図である。
【図８】本発明の三例目の裏面図である。
【図９】本発明の三例目の長手方向の断面図である。
【図１０】本発明の四例目の表面図である。
【図１１】本発明の四例目の裏面図である。
【図１２】本発明の四例目の短手方向の断面図である。
【図１３】本発明の五例目の表面図である。
【図１４】本発明の五例目の裏面図である。
【図１５】本発明の五例目の短手方向の断面図である。
【図１６】本発明の五例目の長手方向の断面図である。
【図１７】本発明の六例目の表面図である。
【図１８】本発明の六例目の裏面図である。
【図１９】本発明の六例目の短手方向の断面図である。
【図２０】本発明の六例目の長手方向の断面図である。
【図２１】本発明の七例目の表面図である。
【図２２】本発明の七例目の裏面図である。
【図２３】本発明の七例目の短手方向の断面図である。
【図２４】本発明の七例目の長手方向の断面図である。
【図２５】本発明の一例目の図１の実施図である。
【図２６】本発明の二例目の図４の実施図である。
【図２７】本発明の三例目の図７の実施図である。
【図２８】本発明の四例目の図１０の実施図である。
【図２９】本発明の五例目の図１３の実施図である。
【図３０】本発明の六例目の図１７の実施図である。
【図３１】本発明の七例目の図２１の実施図である。
【図３２】本発明の二例目をブックカバー状に折った実施図である。
【発明を実施するための形態】
【０００８】  以下は本発明の実施するための形態について説明する。
略長方形状の不透過性素材からなる第１の包装材（１）の図１又は、図４に示す通り、長手方向又は短手方向のいずれかに、一対のミシン目（２）を横断的に設ける。前記、１対設けたミシン目（２）を覆うように第２の包装材（３）を第１の包装材（１）と接着もしくは溶着する。この時、第２の包装材（３）の大きさは、一対のミシン目を覆う程度の大きさで、ミシン目（２）から接着代分突出していればよい。この時ミシン目（２）は、１対だけではなく図１３に示すように、長手方向と、短手方向両方に一対ずつ、計２対交差させて設ける場合もあり、この時第２の包装材（３）の形状は、それぞれのミシン目の幅で、交差され、図１４で示すように、記号の＋（プラス）のような形状となる。次に、ミシン目（２）は、一対又は、２対交差だけでなく、図７及び、図１０に示すように、長手方向又は、短手方向に１本でも、同様の効果を得ることができる。この時の第２の包装材（３）の大きさは、実施時に切り離す部分を覆い、第１の包装材（１）に設けた、一本のミシン目（２）の実施時に残す側に接着もしくは溶着する。
【０００９】  またミシン目は、図２１に示すように、長手方向から第１の包装材（１）の３分の２程度の位置まで入れたミシン目（２）を、途中から、９０度短手方向に向きを変えて、第１の包装材（１）の長手方向の端から短手方向の端まで設ける場合もあり、この時の第２の包装材（３）の大きさも、実施時に切り離す部分を覆い、第１の包装材（１）に設けた、ミシン目（２）の実施時に残す側に接着もしくは溶着する。前記のミシン目の入れ方で、短手方向の長さを小さくし、丁度、点対称的に、反対側にももう１か所同様のミシン目を入れたものが図１７となる。
【００１０】  第１の包装材（１）とは、紙、布、ビニール、プラスチック、ゴム、シリコン他それに類する、２つに折り曲げられる素材であり、不透過性素材又は、半透過性素材である。
第２の包装材（３）とは、紙、布、ビニール、プラスチック、ゴム、シリコン他それに類する、２つに折り曲げられる素材であり、透過性素材又は、半透過性素材である。
【００１１】  表面から、第１の包装材（１）のミシン目（２）を切り取るときに、一緒に第２の包装材（３）切り取ってしまわないように、第１の包装材（１）と第２の包装材（３）の重合部の端は、第２の包装材（３）の方を、第１の包装材（１）の端より内側に後退させる場合もある。図２で示すところの、第１の包装材（１）と第２の包装材（３）の上下のそれぞれの端が、ずれている部分がそれにあたる。
【００１２】  第１の包装材（１）に設けられた、ミシン目（２）の端は、ここからが切り取り開始部分だとわかりやすくする為、くさび型や、半円状に切り取ったり、ミシン目を入れたりして目立つ切り取り開始部分（５）を設ける場合もある。
第２の包装材（３）を接着又は、溶着する時、できるだけミシン目（２）に近くする方が、本に装着した時に、ミシン目により切り取った後、第１の包装材（１）と第２の包装材（３）の境目が剥がれにくい。
【００１３】  本発明を本に装着時に若干曲がりくせがある方が、第２の包装材（２）にしわができにくいため、第２の包装材（３）を接着又は、溶着する時、長手方向に接着する場合は、その方向に、また、短手方向に接着する場合は、その方向に押し付けながら接着するか、やや半筒状の少し内側に反った様な台上で、接着するとよい。
【００１４】  本発明を図３２のように、ブックカバー状に折って本に装着した時に、背表紙部分が中心に露わになる場合である、図１、図１３等は、厚さがある本にも対応できる様に、第１の包装材のミシン目（２）の幅及び、それに合わせた第２の包装材（３）の幅を、一般的な本の背表紙の幅より、広く取る事もある。
本発明は、以上のような構造である。
【００１５】  本発明を使用するときは、ブックカバーとして使う場合、その対象の本専用に短手方向の長さを合わせて製作している場合以外は、図３２に示すように、短手方向を本の、縦の長さに合わせて、上下を内側に折り曲げるが、この時の内側とは、第２の包装材（３）がある側である。そして第２の包装材（３）側を本に接触させるようにブックカバーとして包み、長手方向を本の横の長さに合わせて、左右を内側に折り曲げて装着する。あらかじめ左右のどちらか一方を折り曲げておいてから、後で横の長さに合わせて、もう一方を折り曲げてもよい。本の一部を露わにさせたいときは、図２５から、図３１まで示すとおり、第１の包装材（１）のシン目（２）を切り離すが、この時、第２の包装材（３）を残して切り離す。また図３０のように、２か所切り離し部分がある場合は、すべて切り離してもよいが、一方を残してもよい。また図２９の場合は、さらに切り離し部分が分かれているので、ミシン目（２）のどの部分を切り離すかは、さらに選択肢が増す。
【符号の説明】
【００１６】１：第１の包装材  ２：ミシン目  ３：第２の包装材  ４：接着部  ５：目立つ切り取り開始部分
【図１】
2018058324.tif 000002
【図２】
2018058324.tif 000003
【図３】
2018058324.tif 000004
【図４】
2018058324.tif 000005
【図５】
2018058324.tif 000006
【図６】
2018058324.tif 000007
【図７】
2018058324.tif 000008
【図８】
2018058324.tif 000009
【図９】
2018058324.tif 000010
【図１０】
2018058324.tif 000011
【図１１】
2018058324.tif 000012
【図１２】
2018058324.tif 000013
【図１３】
2018058324.tif 000014
【図１４】
2018058324.tif 000015
【図１５】
2018058324.tif 000016
【図１６】
2018058324.tif 000017
【図１７】
2018058324.tif 000018
【図１８】
2018058324.tif 000019
【図１９】
2018058324.tif 000020
【図２０】
2018058324.tif 000021
【図２１】
2018058324.tif 000022
【図２２】
2018058324.tif 000023
【図２３】
2018058324.tif 000024
【図２４】
2018058324.tif 000025
【図２５】
2018058324.tif 000026
【図２６】
2018058324.tif 000027
【図２７】
2018058324.tif 000028
【図２８】
2018058324.tif 000029
【図２９】
2018058324.tif 000030
【図３０】
2018058324.tif 000031
【図３１】
2018058324.tif 000032
【図３２】
2018058324.tif 000033